(57)【要約】      （修正有）【課題】  冬期における自動２輪車、原動機付２輪車、スノモービルを長時間、短時間運転をした場合このジャンバーに取りつけたチョッキを身につけて行動をすれば寒さなんか全然なく暖かく運転ができるので行動範囲が広く能率的に行動ができるようにする。【解決手段】チョッキの裏地全体に放電加工をした電導の良いニクロム線をチョッキ（ジャンバーに取り付けができるように回りをチャックで取りつける）に取り付けその先端を接続ができる様にし、自動２輪車、原動機付２輪車、スノーモービルのバッテリーからコードで電源をとって車体の一部分に取り付け、コードの先端部分を接続できるような部品を付けて、チョッキと連結してチョッキにはすでにジャンバーにチャックで取り付けができるようにする。【選択図】なし【特許請求の範囲】
【請求項１】
チョッキの裏生地全体に放電防止加工をしたニクロム線を取り付けその先端部分を接続できるようにして置く、チョッキにはジャンバーに取り付けができるようにチャックをつけておく。
【請求項２】
ジャンバーにもチョッキを取り付けができるよにチャックを取りつけて置く。
【請求項３】
自動２輪車のバッテリーからコードで電源を取り車体の一部分に取りつけてその先端を接続できるようにする。
【請求項４】
原動機付２輪車のバッテリーからコードで電源を取り車体の一部分に取りつけてその先端を接続できるようにする。
【請求項５】
スノーモービルのバッテリーからコードで電源を取りスノーモービルの車体の一部分に取りつけてその先端を接続できるようにする。
【発明の詳細な説明】
【発明の詳細な説明】
【００１】  チョッキは裏生地に放電しないように加工をしたコイルをとりつけその先端を接続出るようにし、自動２輪車、原動機付２輪車、スノーモービルのバッテリーからコード線にて電源を取りその先端を接続できるようにする。
［発明の属する技術分野］
【００２】  冬期における自動２輪車、原動機付２輪車、スノーモービルを長時間、短時間使用した場合このジャンバーを身に着けたならば寒さなんか無く気持ちの良い運転がきます。
［従来の技術］
【００３】  寒さだけが身にしみていたので如何に暖かくしたいかを考えた。
［発明が解決しようとする課題］
【００４】  冬期自動２輪車、原動機付２輪車、スノモービルを使用した場合厚手の防寒着を身につけなければならなかったので楽しい時は無く辛いと思うことだけでしたので、
「本発明は、これらの欠点を解決するためになされたものである。」
［発明の実施の形態］
【００５】  「以下、本発明の実施の形態について説明する。」
（チョッキ）（１）裏生地に放電加工した電導の良いニクロム線を縦状に１０本以上を縫いつけてその先端部分を接続できるような器具を取り付け保温をするため全体に生地で覆い縫い合わせチョッキ全体にチャックを取りつける。
（ジャンバー）（２）裏生地にチョッキを取りつけられるように周りにチャックを取りつける。
（自動２輪車）（３）バッテリーからコードで電源を取り先端部分を接続できるような器具を取りつけ車体の一部分に取りつける。
（スノーモービル）（４）バッテリーからコードで電源を取り先端部分を接続できるような器具を取りつけ車体の一部分に取りつける。
（原動機付２輪車）バッテリーからコードで電源を取り先端部分を接続できるような器具を取りつけ車体の一部分に取りつける。
［発明の効果］
冬期、寒冷時期、長時間の運転が可能になる。
朝の早い寒さが厳しい時間も運転が楽しくなる。
冬期通勤に駅までの運転も軽装で行ける。
スキー場でも色々の仕事、遭難、捜索の時にかなりの広範囲での行動ができるこのチョッキを着ることによって女性の冷え性が解消される。
2005281947.tif 000002
【図１】
2005281947.tif 000003
【図２】
2005281947.tif 000004
【図３】
2005281947.tif 000005
【図１】
2005281947.tif 000006
【図２】
2005281947.tif 000007
【図１】
2005281947.tif 000008
【図２】
2005281947.tif 000009
【手続補正書】
【提出日】平成16年9月2日(2004.9.2)
【手続補正１】
【補正対象書類名】特許請求の範囲
【補正対象項目名】全文
【補正方法】変更
【補正の内容】
【特許請求の範囲】
【請求項１】
チョッキの裏生地全体に放電防止をしたニクロム線を取り付けその先端部分を接続できるようにして置く、チョッキにはジャンバーに取り付けが出来るようチャック付けて置く。
【請求項２】
ジャンバーにもチョッキを取り付けができるようにチャックを取り付けて置く。
【請求項３】
自動２輪車のバッテリーからコードで電源を取り車体の一部分に取り付けてその先端部分を接続出来る様にして置く。
【請求項４】
原動機付２輪車のバッテリーからコードで電源を取り車体の一部分に取りつけてその先端部分を接続出来る様にして置く。
【請求項５】
スノーモービルのバッテリーからコードで電源を取りスノーモービルの車体の一部分に取り付けてその先端部分を接続出来る様にして置く。
【手続補正２】
【補正対象書類名】明細書
【補正対象項目名】全文
【補正方法】変更
【補正の内容】
【発明の詳細な説明】
【発明の詳細な説明】
【００１】    チョッキは裏生地に放電しないように加工をしたコイルをとりつけその先端を接続出るようにし、自動２輪車、原動機付２輪車、スノーモービルのバッテリーからコード線にて電源を取りその先端を接続できるようにする。
【技術分野】
【００２】    冬期における自動２輪車、原動機付２輪車、スノーモービルを長時間、短時間使用した場合このジャンバーを身に着けたならば寒さなんか無く気持ちの良い運転が出来ます。
【背景技術】
【００３】    寒さだけが身にしみていたので如何に暖かくしたいかを考えた。
【発明が解決しようとする課題】
【００４】    冬期自動２輪車、原動機付２輪車、スノーモービルを使用した場合厚手の寒着を身につけなければならなかったので楽しい時は無く辛いと思うことだけでしたので、
「本発明は、これらの欠点を解決するためになされたものである。」
【発明を実施するための最良の形態】
【００５】    「以下、本発明の実施の形態について説明する。」
（チョッキ）（１）裏生地に放電加工した電導の良いニクロム線を縦状に１０本以上を縫いつけてその先端部分を接続できるょうな器具を取り付け保温をするため全体に生地で覆い縫い合わせチョッキ全体にチャックを取りつける。
（ジャンバー）（２）裏生地にチョッキを取りつけられるように周りにチャックを取りつける。
（自動２輪車）（３）バッテリーからコードで電源を取り先端部分を接続できるような器具を取りつけ車体の一部分に取りつける。
（スノーモービル）（４）バッテリーからコードで電源を取り先端部分を接続出来る  ような器具を取り付け車体の一部分に取りつける。
（原動機付２輪車）バッテリーからコードで電源を取り先端部分を接続できるような  器具を取りつけ車体の一部分に取りつける。
【発明の効果】
【００６】冬期、寒冷時期、長時間の運転が可能になる。
朝の早い寒さが厳しい時間も運転が楽しくなる。
冬期通勤に駅までの運転も軽装で行ける。
このチョッキを着ることによって女性の冷え性が解消される。
スキー場でも色々の仕事、遭難、捜索の時にかなりの広範囲での行動ができる。
【図面の簡単な説明】
【００７】
【図１】本発明の正面図    チョッキ
【図２】本発明の部分拡大図    チョッキ部分
【図３】放電加工したクローム線部分
【図４】スノーモービル側面図
【図５】スノーモービルのバッテリー側面図
【図６】２輪車の側面図
【図７】２輪車のバッテリー側面図
【符号の説明】
【００８】
【符号の説明】
１      チョッキ
２      放電加工したニクロム線
３      チャック
４      接続部分
５      コード線
６      バッテリー
【手続補正３】
【補正対象書類名】図面
【補正対象項目名】全図
【補正方法】変更
【補正の内容】
【図１】
2005281947.tif 000010
【図２】
2005281947.tif 000011
【図３】
2005281947.tif 000012
【図４】
2005281947.tif 000013
【図５】
2005281947.tif 000014
【図６】
2005281947.tif 000015
【図７】
2005281947.tif 000016